(57)【要約】      （修正有）【課題】Ｕ字状又はＬ字状に曲げられている傘の柄をテーブルや机などに滑らずに引っ掛けることの出来る傘を提供する。【解決手段】柄３がＵ字状又はＬ字状に曲げられている傘１において、該柄３の先端部分に滑り止め部材２が設けた構成であるため、柄の先端部に設けられた滑り止め部材によって、簡単にテーブルや机に傘を係止させることが出来る。また振動があっても、その滑り止め部材のグリップ力によって滑り落ちることが無くなる傘となる。更にこの滑り止め部材２は例えば幅の無いような壁からの出っ張りや椅子の背もたれ上部のちょっとした幅に柄３の先端部分の滑り止め部材２を引っ掛けるだけで、簡単に係止出来、傘１を使用する時も柄３の先端が滑り止め部材２となっているだけなので、邪魔にならず、更に見栄えも通常の傘となんら変わりの無い傘１となる。【選択図】図１
0003145392.tif 000002
【実用新案登録請求の範囲】
【請求項１】
柄（３）がＵ字状又はＬ字状に曲げられている傘（１）において、該柄（３）の先端部分に滑り止め部材（２）が設けていることを特徴とする傘（１）。
【請求項２】
滑り止め部材（２）が天然又は合成ゴムからなり、キャップ式で柄（３）に、はめ込んで構成されることを特徴とする請求項１に記載の傘（１）。
【請求項３】
滑り止め部材（２）が柄（３）の外形と同形状であり、接着、周り止め又はネジ止めの手段によって柄（３）の先端部分に設けられることを特徴とする請求項１に記載の傘（１）。
【考案の詳細な説明】
【技術分野】
【０００１】  本考案は、傘に関し、Ｕ字状又はＬ字状に曲げられている傘の柄をテーブルや机などに滑らずに引っ掛けることの出来る傘に関する。
【背景技術】
【０００２】  従来、柄がＵ字状又はＬ字状に曲げられている雨傘や日傘などは傘立てに置いて保管していた。
一方で柄の途中の直線部分に枝状に分岐した形状を有する部材を柄にはめ込んで該枝状の先端を、テーブルや机などに係止して傘をテーブルなどに引っ掛けるものが知られている。
更には、柄にリングを通し、該リングからペンダントのようにある程度の長さを有するチェーンが伸び、ペンダントに相当する部分の裏面に粘着ゲル素材の部材が設けられていて、該粘着ゲル素材をテーブルや机に押し付け面着させて、その粘着力で傘をテーブルや机などに係止するものも知られている。
【考案の開示】
【考案が解決しようとする課題】
【０００３】  しかしながら、傘立てが無いオープンカフェや雨が上がってそのまま座席に傘を持っていく場合、テーブルや机などに傘の柄の先端を引っ掛けて係止しようとすると、柄が「するり」と滑ってしまい、思うように係止出来なかった。又係止出来たとしても、ちょっとした振動で柄が滑って傘が床に落ちてしまう欠点があった。
もちろんＵ字状又はＬ字状に曲げられている柄自体を椅子に引っ掛けたり、例えば幅の無いような壁からの出っ張り部分に柄の先端を引っ掛けても同様にちょっとした振動で結局は滑って傘が床に落ちてしまう問題的があった。もちろん傘の先を床に置いて傘自体を斜めにしてテーブルや机などのフチに立てかけて係止することもバランスを取るのが大変難しものであった。
一方で柄の途中の直線部分に枝状に分岐した形状を有する部材を柄にはめ込んで該枝状の先端を、テーブルや机などに係止するものは、傘の柄の手の握り部分にはめ込むため、傘を使用する時は邪魔になり、大変見栄えが悪いものであった。
更に柄にリングを通し、該リングからペンダントのようにある程度の長さを有するチェーンが伸び、ペンダントにあたる部分の裏面に粘着ゲル素材の部材が設けられているものは、ゲル素材が汚れてしまうと粘着力が悪く係止出来なくなり、製造コストも高く、テーブルなどに押し付ける手間、更にはちょっとした出っ張りには係止する事は出来ないという課題点があった。
【課題を解決するための手段】
【０００４】  上記課題を解決するために本考案は、柄（３）がＵ字状又はＬ字状に曲げられている傘（１）において、該柄（３）の先端部分に滑り止め部材（２）を設けておく。
本考案は以上のような構成からなる傘（１）である。
【考案の効果】
【０００５】  本考案の傘は以上のような構成であるため、柄の先端部に設けられた滑り止め部材によって、簡単にテーブルや机に傘を係止させることが出来る。また振動があっても、その滑り止め部材のグリップ力によって滑り落ちることが無くなる。
更にこの滑り止め部材は例えば幅の無いような壁からの出っ張りや椅子の背もたれ上部のちょっとした幅に柄の先端部分の滑り止め部材を引っ掛けるだけで、簡単に係止出来る優れたものとなる。
また傘を使用する時も柄の先端が滑り止め部材となっているだけなので、邪魔にならず、更に見栄えも通常の傘となんら変わりの無いものとなる。
更には製造コストも安価で粘着ゲル素材のようにテーブルに押し付ける手間や汚れによって係止出来なくなることもなく、経済的に使用出来る優れたものとなる。
【考案を実施するための最良の形態】
【０００６】  本考案における傘の大きさ、デザイン、厚み、材質、製造方法等は特に限定される事はない。
柄の先端部分に設けられる滑り止め部材の形状、材質、製造方法も特に限定されることは無いが、滑り止め部材（２）が天然又は合成ゴムからなり、キャップ式で柄（３）にはめ込んで構成されることが望ましい。この場合、柄の素材やデザインに合わせて使用者自らが取り替えれるものが好ましい。もちろん使い捨てのような安価なビニール傘や高価な傘のそれぞれの柄の太さに合わせてキャップ内径を変更したものを数種類作製しておいてそれぞれの傘に合う滑り止め部材を提供する方式としても良い。
また滑り止め部材（２）が柄（３）の外形と同形状であり、接着、周り止め又はネジ止めの手段によって柄（３）の先端部分に設けられることも好ましい。これは柄と滑り止め部材が最初から同形状になるように予め設計しておくこととなるので、傘自体の付加価値を高めることが出来るため望ましい形態となる。
なお、滑り止め部材の側面にシールや書き込みによってネーミングなどを施すことが出来るように若干の凹みなどを設けておけば、他の傘と間違うことの無い傘と出来る。
【実施例】
【０００７】  以下、本考案の一実施例を、図１、図２及び図３で説明するがこれによって本考案はなんら限定されるものではない。【０００８】  図１は本考案の一例の斜視図である。
柄（３）がＵ字状又はＬ字状に曲げられている傘（１）において、該柄（３）の先端部分に滑り止め部材（２）が設けており、傘（１）の先端部（４）が床についた状態でテーブル（５）のフチに滑り止め部材（２）が係止している状態を示している。この滑り止め部材（２）のグリップ力によってテーブルから例え振動があっても、滑り落ちることがないものとなるのである。【０００９】  図２は椅子（６）の背もたれの上面のちょっとした幅に柄の先端部分の滑り止め部材（２）を引っ掛けるだけで、簡単に係止出来る状態を示す一例の斜視図である。特に傘（１）の先端（４）が空中に浮いた状態で係止出来ることがわかる。【００１０】  図３は滑り止め部材（２）が柄（３）の外形と同形状であり、周り止めの手段によって柄（３）の先端部分に設けられた一例を示す斜視図である。
【産業上の利用の可能性】
【００１１】  柄の先端部に設けられた滑り止め部材によって、簡単にテーブルや机などに傘を係止させることが出来き、その際に振動があっても、その滑り止め部材のグリップ力によって滑り落ちることが無くなる傘となる。
更にこの滑り止め部材は例えば幅の無いような壁からの出っ張りや椅子の背もたれ上部のちょっとした幅に柄の先端部分の滑り止め部材を引っ掛けるだけで、簡単に係止出来るものとなる。
また傘を使用する時も柄の先端が滑り止め部材となっているだけなので、邪魔にならず、更に見栄えも通常の傘となんら変わら無いものとなる。
この滑り止め部材の側面にシールや書き込みによってネーミングなどを施すことが出来るように若干の凹みなどを設けておけば、他の傘と間違うことの無い傘と出来る副次的効果もある。
【図面の簡単な説明】
【００１２】
【図１】  本考案の一例を示す斜視図である。
【図２】  本考案の一例を示す斜視図である。
【図３】  本考案の一例を示す斜視図である。
【符号の説明】
１  傘    ２  滑り止め部材    ３  柄    ４  先端
５  机    ６  椅子
【図１】
0003145392.tif 000003
【図２】
0003145392.tif 000004
【図３】
0003145392.tif 000005